(57)【要約】【課題】ケースの扉を開けなくても外部から少なくともレーベル印刷の印刷内容を確実に視認することができるメディア処理装置を提供する。【解決手段】メディア処理装置１は、メディアを保管するメディアスタッカ２１，２２と、メディアにデータの書き込みを行うメディアドライブ５３と、メディアのレーベル面に印刷を行うレーベルプリンタ１１と、メディアを把持してメディアスタッカ２１，２２、メディアドライブ５３、及びレーベルプリンタ１１に搬送可能なメディア搬送機構３１とを有し、メディア搬送機構３１は、メディアを上から把持して上下移動及び旋回移動可能な搬送アーム３６の下面３６ａに、下向きに光を照射する照明部４４が設けられている。【選択図】図２
2008097669.tif 000002
【特許請求の範囲】
【請求項１】
円板状のメディアを保管するメディア保管部と、前記メディアにデータの書き込みを行うメディアドライブと、前記メディアのレーベル面に印刷を行うレーベルプリンタと、前記メディアを把持して前記メディア保管部、前記メディアドライブ、及び前記レーベルプリンタに搬送可能なメディア搬送機構とを有するメディア処理装置であって、
前記メディア搬送機構は、前記メディアを上から把持する搬送アームの下面に、下向きに光を照射する照明部が設けられていることを特徴とするメディア処理装置。
【請求項２】
請求項１に記載のメディア処理装置であって、
前記メディア搬送機構は、前記搬送アームの待機位置が前記レーベルプリンタに対するメディア受け渡し位置の上方に設定されていることを特徴とするメディア処理装置。
【請求項３】
請求項１または２に記載のメディア処理装置であって、
前記照明部が、白色ＬＥＤを備えていることを特徴とするメディア処理装置。
【請求項４】
請求項１から３の何れか一項に記載のメディア処理装置であって、
前記メディア搬送機構を望む当該メディア処理装置のケースの前面に、透光性の窓部を有することを特徴とするメディア処理装置。
【請求項５】
請求項１から４の何れか一項に記載のメディア処理装置であって、
前記メディアに対するデータ書き込み、レーベル印刷、及び搬送動作のうち何れかを実行中に、前記照明部が点灯することを特徴とするメディア処理装置。
【請求項６】
請求項１から５の何れか一項に記載のメディア処理装置であって、
前記ケースの前面に前記メディア保管部を保護するための開閉可能な開閉扉が設けられ、前記開閉扉が開くと前記照明部が消灯することを特徴とするメディア処理装置。
【発明の詳細な説明】
【技術分野】
【０００１】
本発明は、ＣＤやＤＶＤ等の円板状のメディアにデータを書き込み、レーベル面に印刷を行って所望のメディアを提供することができるメディア処理装置に関するものである。
【背景技術】
【０００２】
従来、ＣＤやＤＶＤ等の円板状のメディアに対してデータの書き込みやレーベル印刷を行うメディア処理装置では、一般にブランクメディアスタッカに収納されているブランクメディアを、内蔵のメディアドライブに供給して所定のデータを書き込み、書き込み後のメディアにレーベルプリンタによりレーベル印刷を行って、メディアスタッカに保管したり、装置から取り出したりするように構成されている。
【０００３】
このようなメディア処理装置では、メディアドライブやレーベル印刷を行うレーベルプリンタ等を内包するケースを備えており、外部からの振動や埃等から内部機器を保護している。また、ケースの外側からでも内側を視認しやすくするために、ケース内に照明が設けられているものが知られている（例えば、非特許文献１，２参照）。
【０００４】
【非特許文献１】ＰＲＩＭＥＲＡ製品紹介ホームページ（http;//www.bbtus.com//bbtjp/hardware/primera.html）
【非特許文献２】ＴＥＡＣ製品紹介ホームページ（http;//www.tsc.teac.co.jp/02products/sys/wp45b/index.html）
【発明の開示】
【発明が解決しようとする課題】
【０００５】
従来のメディア処理装置は、上記のようにケース内に照明が設けられているものはあるが、ケース内の所定位置からケース内をぼんやりと全体的あるいは局所的に照らしているにすぎない。また、ディスク搬送装置が移動すると、上部からの照明を遮るため、レーベル印刷の印刷内容等の確認までできるものではなく、使用者は、印刷内容を確認するには、ケースの扉を開けて、ケース内部を視認するのが一般的である。しかしながら、ケースの扉を開閉する際に、メディア処理装置に振動が発生し、メディアドライブにおけるデータの書き込みや、レーベルプリンタによるレーベル印刷の際に、誤動作を生じたり、書き込みや印刷の精度が低下するおそれがあった。
【０００６】
そこで、本発明の目的は、ケースの扉を開けなくても外部から少なくともレーベル印刷の印刷内容を確実に視認することができるメディア処理装置を提供することにある。
【課題を解決するための手段】
【０００７】
上記課題を解決することのできる本発明に係るメディア処理装置は、円板状のメディアを保管するメディア保管部と、前記メディアにデータの書き込みを行うメディアドライブと、前記メディアのレーベル面に印刷を行うレーベルプリンタと、前記メディアを把持して前記メディア保管部、前記メディアドライブ、及び前記レーベルプリンタに搬送可能なメディア搬送機構とを有するメディア処理装置であって、前記メディア搬送機構は、前記メディアを上から把持する搬送アームの下面に、下向きに光を照射する照明部が設けられていることを特徴とする。
【０００８】
このように構成されたメディア処理装置においては、例えばメディア保管部に保管されているＣＤ等の処理前のメディアをメディア搬送機構の搬送アームにより把持してメディアドライブに供給し、データの書き込みを行う。また、メディア搬送機構は、データを書き込んだメディアをレーベルプリンタに搬送し、レーベルプリンタによりレーベル印刷を行う。ここで、メディアを上から把持するメディア搬送機構の搬送アームの下面に照明部を設けたので、メディアの搬送の際に、メディア保管部に保管されているメディアの在庫状況や、レーベル印刷の内容等を視認することができる。なお、搬送アームを移動範囲内の所望の位置に移動させて照明部で照らすこともできる。このように、メディア処理装置の稼動中に搬送アームの移動に合わせて装置内部の適切な箇所を明るく照射することが可能であり、それによりユーザの視認要求に応えることができ、メディアに対するデータの書き込みやレーベル印刷時に不用意にケースの扉を開閉することを防ぐことができる。
【０００９】
また、本発明に係るメディア処理装置において、前記メディア搬送機構は、前記搬送アームの待機位置が前記レーベルプリンタに対するメディア受け渡し位置の上方に設定されていることが好ましい。
【００１０】
このように構成されたメディア処理装置においては、搬送アームが待機位置にある状態でも、レーベルプリンタにより印刷されたメディアのレーベル面を照射して印刷状態を確認することができる。したがって、印刷中のレーベル面を視認したいというユーザの要求を満たし、ケースの扉の開閉をより効果的に防ぐことができる。
【００１１】
また、本発明に係るメディア処理装置において、前記照明部が、白色ＬＥＤを備えていることが好ましい。
【００１２】
このように構成されたメディア処理装置においては、照明部が白色ＬＥＤを用いているので、照明部の発熱を抑えるとともに、電気消費量を抑えることができる。したがって、照明部は、メディア搬送機構が作動しているときのみならず、常時照明部で照らすようにすることができる。
【００１３】
また、本発明に係るメディア処理装置において、前記メディア搬送機構を望む当該メディア処理装置のケースの前面に、透光性の窓部を有することが好ましい。
【００１４】
このように構成されたメディア処理装置においては、メディア搬送機構を望むケースの前面に透光性の窓部を設けたので、ケースの扉を開けることなく内部を視認することができ、ケースの扉の開閉に伴う振動を防止することができる。これに伴い、メディアドライブにおけるデータの書き込みや、レーベルプリンタによるレーベル印刷の際に生じる、メディア処理装置の振動による不具合を防止することができる。
【００１５】
また、本発明に係るメディア処理装置において、前記メディアに対するデータ書き込み、レーベル印刷、及び搬送動作のうち何れかを実行中に、前記照明部が点灯することが好ましい。
【００１６】
このように構成されたメディア処理装置においては、メディア処理装置が稼動しているか否かが照明部の点灯状況を見ることで判断することができる。したがって、ユーザが不用意にケースの扉を開閉することを防ぐことができる。
【００１７】
また、本発明に係るメディア処理装置において、前記ケースの前面に前記メディア保管部を保護するための開閉可能な開閉扉が設けられ、前記開閉扉が開くと前記照明部が消灯することが好ましい。
【００１８】
このように構成されたメディア処理装置においては、開閉扉が完全に閉じられていない場合には、照明部が点灯しないため、開閉扉が確実に閉じられているか否かを判断し易い。さらに、開閉扉を開いた場合に装置の稼動を一時停止するようにしておけば、稼動状況が遠くからでも判別し易い。
【発明を実施するための最良の形態】
【００１９】
以下、本発明に係るメディア処理装置の実施形態の例を、図面に基づいて説明する。
図１はメディア処理装置の外観斜視図、図２は図１の扉を開けた内部を示す斜視図、図３はメディア処理装置のケースを外した状態の前方側の斜視図、図４はメディア処理装置のケースを外した状態の後方側の斜視図、図５はメディア処理装置に設置されたレーベルプリンタ部分の斜視図、図６はメディア搬送機構の下方から見た斜視図、図７はメディア機構の平面図、図８は搬送アームを下方から見た斜視図である。
【００２０】
まず、本実施形態のメディア処理装置の全体構成について説明する。
図１および図２に示すように、メディア処理装置１は、ＣＤやＤＶＤ等の円板状のメディアヘのデータの書き込みやメディアのレーベル面への印刷を行うメディア処理装置（ディスクパブリッシャ）であり、ほぼ直方体形状のケース２を備えている。このケース２の前面には、左右に開閉可能な開閉扉３，４が取り付けられている。ケース２の上側左端部には、表示ランプ、操作ボタンなどが配列された操作面５が設けられており、また、ケース２の下端には、メディア排出口６が設けられている。なお、開閉扉３,４部分等のケース２の前面には、透光性を有する窓部３ａを設けておくのが望ましい。ここで透光性とは、完全な透明に限らず、内部を視認可能な程度に透明（半透明）であれば良い。これにより、メディア処理装置１の外側から内側の状況を視認することが可能である。また、開閉扉３の開閉状態を検出する不図示のセンサが付いている。
【００２１】
正面視右側の開閉扉３は、未使用のブランクメディアＭＡをセットする時、あるいは作成済みメディアＭＢを取り出すときに開閉する扉である。
また、正面視左側の開閉扉４は、レーベルプリンタ１１のインクカートリッジ１２の入れ換え時に開閉するためのものであり、この開閉扉４を開けると、鉛直方向に配列された複数のカートリッジホルダ１３を有するカートリッジ装着部１４（図３参照）が露出するようになっている。
【００２２】
図３に示すように、メディア処理装置１のケース２の内部には、データ書き込み処理が行われていない複数枚の未使用のブランクメディアＭＡをスタック可能なメディア保管部としてのブランクメディアスタッカ２１と、作成済みメディアＭＢが保管されるメディア保管部としての作成済みメディアスタッカ２２が同軸状態で上下に配置されている。ブランクメディアスタッカ２１及び作成済みメディアスタッカ２２は、それぞれ図３に示した所定位置に対して着脱自在である。
【００２３】
ブランクメディアスタッカ２１は、左右一対の円弧状の枠板２４，２５を備えており、これらにより、ブランクメディアＭＡを上側から受け入れ、同軸に積層した状態で収納可能な構成をなしている。ブランクメディアスタッカ２１にブランクメディアＭＡを収納あるいは補充する作業は、開閉扉３を開けてスタッカを取り外すことにより、簡単に行うことが可能となっている。
【００２４】
下側の作成済みメディアスタッカ２２も同一構造となっており、左右一対の円弧状の枠板２７，２８とを備えており、これらによって、作成済みメディアＭＢを上側から受け入れ、同軸に積層した状態で収納可能な構成をなしている。
【００２５】
また、作成済みメディアＭＢがメディア排出口６に排出された場合は、開閉扉３を閉じたまま作成済みメディアＭＢ(すなわち、データの書き込み、及びレーベル面印刷が終了したメディア)を取り出すこともできる。
【００２６】
なお、作成済みメディアスタッカ２２を、ブランクメディアＭＡのメディア保管部として使用することもできる。その場合、作成済みメディアはメディア排出口６に排出すればよい。
【００２７】
次に、メディア処理装置１のメディア搬送機構３１について説明する。
図３及び図４に示すように、メディアを各部に搬送するメディア搬送機構３１は、ブランクメディアスタッカ２１及び作成済みメディアスタッカ２２の後側に設けられている。図６に示すように、メディア搬送機構３１は、ベース７２に取り付けられている水平支持板部３４と不図示の天板を構成するシャーシの間に垂直に架け渡されている垂直ガイド軸３５とを有している。この垂直ガイド軸３５に搬送アーム３６が昇降および旋回可能な状態で支持されている。
【００２８】
図６に示すように、搬送アーム３６の昇降機構では、水平支持板部３４に下端が固定され垂直ガイド軸３５に旋回及び上下移動可能に装着されたアームフレーム３３に環状のタイミングベルト３８が上下方向に回転走行可能に支持されており、このタイミングベルト３８の一点に搬送アーム３６の後端部が固定されている。したがって、アームフレーム３３の搬送アーム３６の基端部側に取付けられている昇降用モータ３７によってタイミングベルト３８に噛合するプーリ（図示省略）を回転させ、タイミングベルト３８を回転走行させることにより、搬送アーム３６を垂直ガイド軸３５に沿って昇降させる。
【００２９】
一方、搬送アーム３６の旋回機構では、図７に示すように、駆動源である旋回用モータ３９がベース７２に取付けられており、この旋回用モータ３９の出力軸にはピニオン(図示せず)が取り付けられて、このピニオンの回転が、歯車群４１を介して、扇形歯車４２に伝達されるようになっている。扇形歯車４２は、垂直ガイド軸３５を中心として左右に旋回可能である。また、扇型歯車４２には前述した水平支持板部３４が一体的に搭載されており、旋回用モータ３９を駆動すると、扇形歯車４２が左右に旋回するので、ここに搭載されている水平支持板部３４が一体となって垂直ガイド軸３５を中心として左右に旋回する。この結果、水平支持板部３４と一体に旋回するアームフレーム３３に搭載されている昇降機構によって保持されている搬送アーム３６が垂直ガイド軸３５を中心として左右に旋回することになる。
【００３０】
図８に示すように、搬送アーム３６の下面３６ａには、先端にグリッピング機構４３が設けられており、ＣＤ等のメディアの搬送の際にはメディアの中心孔（図示省略）を把持するようになっている。また、搬送アーム３６の下面３６ａには、下向きに照明部４４が設けられている。なお、照明部４４には、白色ＬＥＤを用いることが望ましい。これにより、照明部４４の発熱を抑えるとともに、電気消費量を抑えることができるので、照明部４４は、メディア搬送機構３１が作動しているときのみならず、外部に設けられたスイッチにより常時照らすようにすることができる。なお、ユーザが必要な場合のみ照明部４４を照らすようにすることも可能である。また、照明部４４の光が白色であると、レーベル面の色彩を正確に視認できる。
【００３１】
本実施形態では、通常の場合、メディア搬送機構３１、メディアドライブ５３、レーベルプリンタ１１の何れかが稼動中は照明部４４が点灯し、開閉扉３を開くと消灯するようにしている。このような構成により、メディア処理装置１が稼動しているか、否かが照明部４４の状況で判断できる。また、開閉扉３を開いた場合には消灯することから、開閉扉３が確実に閉じられているか否かを判断し易く、さらには開閉扉３を開いた場合に稼動を一時停止するようにしておけば、稼動状況が遠くからでも判別し易い。
【００３２】
このような構成により、ＣＤあるいはＤＶＤであるメディアは、ブランクメディアスタッカ２１、作成済みメディアスタッカ２２、廃棄用スタッカ５２、メディアドライブ５３のメディアトレイ５３ａ及びレーベルプリンタ１１のメディアトレイ５１間を、メディア搬送機構３１の搬送アーム３６によって搬送されることになる。このとき、搬送アーム３６の下面３６ａに設けた照明部４４によって、各部を照らすことになる。なお、図１及び図２は、レーベルプリンタ１１のメディアトレイ５１を、待機位置にある搬送アーム３６から照明部４４によって照らした状態を示しており、符号４４ａは照明部４４から発光した光を示している。
【００３３】
例えば、搬送アーム３６がブランクメディアスタッカ２１にブランクメディアＭＡを把持しようとする際に、ブランクメディアスタッカ２１を照明部４４により照射してブランクメディアスタッカ２１内のブランクメディアＭＡの残量を視認することができる。また、例えば、搬送アーム３６が作成済みメディアスタッカ２２に作成済みメディアＭＢを入れようとする際に、作成済みメディアスタッカ２２を照明部４４により照射して作成済みメディアスタッカ２２内の作成済みメディアＭＢの保管量を視認することができる。また、例えば、搬送アーム３６が廃棄用スタッカ５２に使用済みメディアＭＣを入れようとする際に、廃棄用スタッカ５２を照明部４４により照射して廃棄用スタッカ５２内の使用済みメディアＭＣの保管量を視認することができる。また、例えば、搬送アーム３６がメディアドライブ５３のメディアトレイ５３ａやレーベルプリンタ１１のメディアトレイ５１にアクセスする際に、メディアトレイ５３ａまたはメディアトレイ５１を照明部４４により照射して（図１及び図２参照）、メディアトレイ５３ａまたはメディアトレイ５１に置かれたメディアの状態を視認することができる。
このように、メディア処理装置１の稼動中に搬送アーム３６の移動に合わせて装置内部の各部が明るく照射されることになる。そのため、メディア処理装置１の稼動状況に応じたユーザの視認要求に応えることができ、メディアに対するデータの書き込みやレーベル印刷時に、ユーザが不用意に開閉扉３を開閉してしまうことを防止できる。
【００３４】
次に、メディアドライブ５３について説明する。
上下のメディアスタッカ２１,２２及びメディア搬送機構３１の側方の部位には、上下に積層された２つのメディアドライブ５３が配置され、これらメディアドライブ５３の下側に後述するレーベルプリンタ１１のキャリッジ６２(図５参照)が幅方向に移動可能に配置されている。メディアドライブ５３は、メディアヘのデータ書き込み位置と、メディアの受け取り及び受け渡しを行うメディア受け渡し位置との間を移動可能なメディアトレイ５３ａをそれぞれ有している。
【００３５】
図３及び図４では、上側のメディアドライブ５３のメディアトレイ５３ａが手前に引き出されてメディア受け渡し位置にある状態、及び下側のレーベルプリンタ１１のメディアトレイ５１が奥側のレーベル印刷可能位置にある状態が示されている。また、レーベルプリンタ１１はインクジェットプリンタであり、インク供給機構７１として各色（例えばブラック、シアン、マゼンタ、イエロー、ライトシアン、ライトマゼンタの６色）のインクカートリッジ１２が用いられ、これらのインクカートリッジ１２がカートリッジ装着部１４の各カートリッジホルダ１３に前方から装着されている。
【００３６】
ここで、ブランクメディアスタッカ２１の左右一対の枠板２４,２５の間及び作成済みメディアスタッカ２２の左右一対の枠板２７,２８の間には、メディア搬送機構３１の搬送アーム３６が昇降可能な隙間が形成されている。また、これらブランクメディアスタッカ２１と作成済みメディアスタッカ２２との間には、メディア搬送機構３１の搬送アーム３６が水平に旋回して、作成済みメディアスタッカ２２の真上に位置できるように隙間が開いている。さらに、メディアトレイ５３ａをメディアドライブ５３に押し込むと、メディア搬送機構３１の搬送アーム３６を下降させて、メディア受け渡し位置にあるメディアトレイ５１にアクセス可能となっている。したがって、搬送アーム３６の昇降及び左右への旋回の組み合わせ動作によって、メディアを各部に搬送することが可能とされている。
【００３７】
なお、メディアドライブ５３のメディアトレイ５３ａが手前に引き出されたメディア受け渡し位置と、レーベルプリンタ１１のメディアトレイ５１が手前に引き出されたメディア受け渡し位置は、鉛直方向に重なっており、これらの上方が搬送アーム３６の待機位置となっている。したがって、レーベルプリンタ１１による印刷処理が始まると、メディアトレイ５１が徐々に前方に移動しながら印刷済みの部分がメディアトレイ５１の受け渡し位置まで到達し、待機位置にある搬送アーム３６の照明部４４により印刷済みの部分が照射されることになる。そのため、ユーザはレーベル面の印刷途中であっても、開閉扉３を開けることなく窓部３ａから印刷された内容を確認できる。また、印刷処理が終了した時点でメディアトレイ５１は完全にメディア受け渡し位置に到達し、印刷されたレーベル面の全体が照明部４４により照射され、印刷済みの内容を確認することができる。
【００３８】
メディアトレイ５１のメディア受け渡し位置の下方には、例えばメディアドライブ５３でのデータの書き込みに失敗した廃棄用メディアＭＤを保管するための廃棄用スタッカ５２が配置されており、この廃棄用スタッカ５２には、例えば３０枚程度の廃棄用メディアＭＤが保管可能とされている。メディアトレイ５１が廃棄用スタッカ５２の上方のメディア受け渡し位置からデータ書き込み位置へ退避した状態にてメディア搬送機構３１の搬送アーム３６により、廃棄用メディアＭＤを廃棄用スタッカ５２に供給可能となっている。
【００３９】
次に、レーベルプリンタ１１について説明する。
図３から図５に示すように、レーベルプリンタ１１は、メディアのレーベル面へのレーベル印刷可能な位置とメディアの受け取り及び受け渡しを行うメディア受け渡し位置との間を移動可能なメディアトレイ５１を有している。メディアトレイ５１は、矩形の板の上面に、メディアの外周端面と当接してメディアの移動を規制するための円形の低い凸部５１ａを備えている。また、レーベルプリンタ１１はインクジェットヘッド６１を有するキャリッジ６２を備えており、このキャリッジ６２は、キャリッジガイド軸６３に沿って、水平方向に往復移動可能に支持されている。そして、このキャリッジ６２は、キャリッジガイド軸６３に沿って水平に架け渡したタイミングベルト６４と、これを駆動するためのキャリッジモータ６５とを備えている。
【００４０】
キャリッジ６２に搭載されているインクジェットヘッド６１は、そのノズル面が下向きとされており、インクジェットヘッド６１の下側位置を、前後方向に水平にメディアトレイ５１が往復移動可能となっている。メディアトレイ５１は、その右側の端が、前後方向に水平に延びるガイド軸６６によって支持され、その左側の端が、スライド可能な状態で、前後方向に水平に延びるガイドレール６７によって支持されている。このメディアトレイ５１の駆動機構も、前後方向に水平に架け渡した図示しないタイミングベルトと、これを駆動するためのトレイモータとを備えた構成となっている。
【００４１】
レーベルプリンタ１１は、インクカートリッジ１２が装着されるカートリッジ装着部１４を有するインク供給機構７１を備えている。このインク供給機構７１は、縦型構造を有しており、メディア処理装置１のベース７２上に立設されて鉛直方向に配設されている。このインク供給機構７１には、可擁性を有するインク供給チューブ７３の一端が接続されており、このインク供給チューブ７３の他端は、キャリッジ６２に接続されている。
【００４２】
そして、インク供給機構７１のインクカートリッジ１２のインクは、インク供給チューブ７３を介してキャリッジ６２に供給され、このキャリッジ６２に設けられた図示しないダンパユニット及び背圧調整ユニットを経てインクジェットヘッド６１に供給される。なお、インク供給機構７１には、その上部に、加圧機構７４が設けられており、この加圧機構７４は、インクカートリッジ１２内を圧縮空気により加圧し、インクカートリッジ１２内のインクパックに貯留しているインクを送り出す。
【００４３】
また、キャリッジ６２のホームポジション(図５に示す位置)における下方側には、インク吸引機構８１が設けられている。このインク吸引機構８１は、ホームポジションに配置されたキャリッジ６２の下面に露出するインクジェットヘッド６１のノズルを覆うキャップ８２と、インクジェットヘッド６２のヘッドクリーニング動作やインク充填動作によってキャップ８２に排出された廃インクを吸引する廃インク吸引ポンプ８３とを備えている。
【００４４】
そして、このインク吸引機構８１の廃インク吸引ポンプ８３によって吸引された廃インクは、チューブ８４を介して、廃インク吸収タンク８５へ送り込まれる。この廃インク吸収タンク８５は、ケース８６内に図示しない吸収材を配設したもので、その上面は、複数の孔部８７を有するカバー８８によって覆われている。なお、廃インク吸引機構８１の下方には、廃インク吸収タンク８５の一部である廃インク受け部８９が設けられ、廃インク吸引機構８１から滴下した廃インクを受け止め、吸収材によって吸収するようになっている。
【００４５】
メディアをメディアトレイ５１の凸部５１ａに保持し、図示せぬトレイモータを駆動して、メディアトレイ５１をガイド軸６６に沿って後側に移動させ、インクジェットヘッド６１の印刷領域内まで移動させることができる。この後は、インクジェットヘッド６１によって、メディアトレイ５１を前方に間欠移動させてメディアのレーベル面に所定の印刷を施すことができる。印刷後、メディアトレイ５１はレーベルプリンタ１１の前方側のメディア受け渡し位置に移動する。
なお、廃インク吸収タンク８５は、インクジェットヘッド６１の印刷領域における下方位置にも配置されており、インクジェットヘッド６１から滴下したインク液が廃インク吸収タンク８５によって受け止められるようになっている。
【００４６】
以上説明したメディア処理装置１では、例えば、ブランクメディアスタッカ２１に保管されているＣＤ等の処理前のメディアを、メディア搬送機構３１の搬送アーム３６を旋回および上下移動させて上側から取り出してメディアドライブ５３に供給し、データの書き込みを行う。また、メディア搬送機構３１は、データを書き込んだメディアをレーベルプリンタ１１に搬送し、レーベルプリンタ１１によりレーベル印刷を行う。その際、搬送アーム３６の下面に設けられた照明部４４により、搬送アーム３６の移動に伴って搬送アーム３６の下方を明るく照射して、ブランクメディアスタッカ２１に保管されているブランクメディアの保管状況や、レーベル印刷の内容等を視認することができる。
【００４７】
このように、メディア処理装置１の稼動中に搬送アーム３６の移動に合わせて装置内部の各部が明るく照射されるため、メディア処理装置１の稼動状況に応じたユーザの視認要求に応えることができ、メディアに対するデータの書き込みやレーベル印刷時に、ユーザが不用意に開閉扉３を開閉してしまうことを防止できる。すなわち、開閉扉３は閉じた状態を維持でき、開閉扉３の開閉に伴う振動発生を防止して、データの書き込みやレーベル印刷における誤動作や、書き込みや印刷の精度低下を防ぐことができる。したがって、高品質で信頼性の高いメディア処理装置１を提供できる。
【図面の簡単な説明】
【００４８】
【図１】本発明に係るメディア処理装置の実施の形態の一例を示す外観斜視図である。
【図２】図１の開閉扉を開けた内部を示す斜視図である。
【図３】メディア処理装置のケースを外した状態の前方側の斜視図である。
【図４】メディア処理装置のケースを外した状態の後方側の斜視図である。
【図５】メディア処理装置に設置されたレーベルプリンタ部分の斜視図である。
【図６】メディア搬送機構の下方から見た斜視図である。
【図７】メディア機構の平面図である。
【図８】搬送アームを下方から見た斜視図である。
【符号の説明】
【００４９】
１…メディア処理装置、３ａ…窓部、１１…レーベルプリンタ、１２…インクカートリッジ、１３…カートリッジホルダ、２１…ブランクメディアスタッカ（メディア保管部）、２２…作成済みメディアスタッカ（メディア保管部）、３１…メディア搬送機構、３６…搬送アーム、３６ａ…下面、３９…廃液収容部、４４…照明部、５３…メディアドライブ、７１…インク供給機構、６１…インクジェットヘッド。
【図１】
2008097669.tif 000003
【図２】
2008097669.tif 000004
【図３】
2008097669.tif 000005
【図４】
2008097669.tif 000006
【図５】
2008097669.tif 000007
【図６】
2008097669.tif 000008
【図７】
2008097669.tif 000009
【図８】
2008097669.tif 000010